【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
哺乳動物の組織部位において組織を治療するシステムにおいて：
前記組織部位近傍に配置するように構成されており、哺乳動物の血管に流体連結して血管から血液を受け取る足場と；
前記血管に連結するように構成されており、開位置と閉位置間で制御可能であり、前記血管から前記足場への血液のフローを調整するように構成されたバルブと；を具え、
前記バルブによって、開位置にあるときは前記血液が前記血管から前記足場へ流れ、閉位置にあるときは前記足場への血液の流れを止める、ことを特徴とするシステム。
【請求項２】
請求項１に記載のシステムが更に、前記足場へ前記血管を流体連結するカテーテルを具えることを特徴とするシステム。
【請求項３】
請求項２に記載のシステムにおいて、前記カテーテルへ連結することによって、前記バルブが前記血管に間接的に連結されていることを特徴とするシステム。
【請求項４】
請求項１に記載のシステムにおいて、前記システムが更に、前記足場に勾配を提供する勾配入口を具えることを特徴とするシステム。
【請求項５】
請求項４に記載のシステムにおいて、前記勾配入口が減圧入口であることを特徴とするシステム。
【請求項６】
請求項１に記載のシステムにおいて、前記バルブが外部からの刺激に応じて開閉することを特徴とするシステム。
【請求項７】
請求項６に記載のシステムにおいて、前記外部からの刺激が、圧力、電気的刺激、機械的刺激、及び化学的刺激のうちの少なくとも一の刺激であることを特徴とするシステム。
【請求項８】
請求項６に記載のシステムが更に、前記外部からの刺激を適用するためのポートを具えることを特徴とするシステム。
【請求項９】
請求項８に記載のシステムにおいて、前記外部からの刺激が正圧であることを特徴とするシステム。
【請求項１０】
請求項１に記載のシステムが更に、前記足場に流体連結されおり、前記足場に減圧を提供する減圧システムを具えることを特徴とするシステム。
【請求項１１】
患者の組織部位における組織の成長を促進するシステムにおいて：
組織部位におけるインプラントに適合可能であり、前記組織の成長に構造的マトリックスを提供し、更に患者の血管に流体連結するように構成することができる足場と；
開位置と閉位置の間で制御可能であり、前記血管から前記足場への血液フローを調整するバルブと；
前記バルブに動作可能に連結されて、前記開位置と閉位置との間で前記バルブを変化させるコントローラと；を具え、
前記バルブによって、開位置にあるときは前記血液が前記血管から前記足場へ流れ、閉位置にあるときは前記足場への血液の流れを止める、ことを特徴とするシステム。
【請求項１２】
請求項１１に記載のシステムにおいて、前記バルブが前記血管に連結されており、更に、前記バルブが前記開位置から閉位置へ変化するときに前記血管を押圧してバルブを通る血液の流れを制限するように構成した圧縮部材を具えることを特徴とするシステム。
【請求項１３】
請求項１１に記載のシステムが更に、前記血管を前記足場に流体連結するように構成された血液供給導管を具え、前記バルブが前記血液供給導管に連結されていることを特徴とするシステム。
【請求項１４】
請求項１３に記載のシステムにおいて、前記バルブが更に、前記バルブが閉位置にあるときに前記血液供給導管を押圧して、前記バルブを介して流れる血液が制限されるように構成された圧縮部材を具えることを特徴とするシステム。
【請求項１５】
請求項１３に記載のシステムにおいて、前記血液供給導管がカテーテルであることを特徴とするシステム。
【請求項１６】
請求項１１に記載のシステムが更に、前記足場を前記血管に流体連結するように構成された血管−足場インターフェースを具えることを特徴とするシステム。
【請求項１７】
請求項１１に記載のシステムが更に、前記足場に流体連結された減圧源を具え、当該減圧源が前記足場に減圧を供給して前記足場を通る血液を引き込むことを特徴とするシステム。
【請求項１８】
請求項１７に記載のシステムが更に、前記足場に流体連結されたキャニスタを具え、前記減圧源が前記足場から前記キャニスタへ血液を引き込むことを特徴とするシステム。
【請求項１９】
請求項１１に記載のシステムにおいて、前記足場が更に、前記組織部位近傍に流動電位端面を具えることを特徴とするシステム。
【請求項２０】
骨欠損あるいは骨折へのインプラントに適した足場において、当該足場が流動電位を有するように構成された荷電面を具え、
骨欠損にインプラントしたときに、前記足場近傍の組織からの血液あるいは間質液を含む電解質流体が、前記流動電位によって前記足場の荷電面の上に引き込まれることを特徴とする足場。
【請求項２１】
請求項２０に記載の足場が更に、前記骨格に勾配を提供する勾配入口を具えることを特徴とする足場。
【請求項２２】
請求項２１に記載の足場において、前記勾配入口が減圧入口であることを特徴とする足場。
【請求項２３】
請求項２０に記載の足場において、前記荷電面が分極によって誘発されることを特徴とする足場。
【請求項２４】
請求項２０に記載の足場において、前記荷電面が表面処理によって誘発されることを特徴とする足場。
【請求項２５】
請求項２０に記載の足場において、前記荷電面が負に荷電されていることを特徴とする足場。
【請求項２６】
請求項２０に記載の足場において、前記足場の面が更に凹部ピットを具えることを特徴とする足場。
【請求項２７】
請求項２６に記載の足場において、前記凹型ピットが深さ１０−１２０μｍ乃至深さ３−１００μｍであることを特徴とする足場。
【請求項２８】
請求項２０に記載の足場において、前記足場がヒドロキシアパタイトあるいはポリ乳酸−共−グリコライド（ＰＬＧＡ）を具えることをと特徴とする足場。
【請求項２９】
請求項２０に記載の足場において、前記足場が更に細胞を具えることを特徴とする足場。
【請求項３０】
請求項２９に記載の足場において、前記細胞が骨芽細胞又は幹細胞であることを特徴とする足場。
【請求項３１】
請求項２０に記載の足場において、前記足場が更に、生物活性剤を具えることを特徴とする足場。
【請求項３２】
請求項３１に記載の足場において、前記生物活性剤が成長ファクタあるいは抗生物質であることを特徴とする足場。
【請求項３３】
請求項３１に記載の足場において、前記生物活性剤が、成長ホルモン（ＧＨ）、骨形態形成タンパク質（ＢＭＰ）、形質変換成長ファクタ−α（ＴＧＦ−α）、ＴＧＦ−β、繊維芽細胞成長ファクタ（ＦＧＦ）、顆粒球−コロニー刺激ファクタ（Ｇ−ＣＳＦ）、顆粒球／マクロファージ−コロニー刺激ファクタ（ＧＭ−ＣＳＦ）、上皮成長ファクタ（ＥＧＦ）、血小板由来成長ファクタ（ＰＤＧＦ）、インスリン様成長ファクタ（ＩＧＦ）、脈管内皮成長ファクタ（ＶＥＧＦ）、肝細胞成長ファクタ／散乱ファクタ（ＨＧＦ／ＳＦ）、インターロイキン、腫瘍壊死ファクタ−α（ＴＮＦ−α）、あるいは神経成長ファクタ（ＮＧＦ）であることを特徴とする足場。
【請求項３４】
骨欠損あるいは骨折へのインプラントに適する足場を変形する方法において、当該方法が、前記足場の表面に電荷を誘発するステップを具えることを特徴とする方法。
【請求項３５】
請求項３４に記載の方法において、前記電荷が電気分極によって誘発されることを特徴とする方法。
【請求項３６】
請求項３４に記載の方法において、前記電荷が表面処理によって誘発されることを特徴とする方法。
【請求項３７】
請求項３４に記載の方法において、前記足場の表面に負電荷が誘発されることを特徴とする方法。